【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  情報を表示する表示部を含み、サーバとネットワークを介して接続されたデータ表示装置であって、
前記サーバから、前記表示部に表示させる情報である表示用情報を受信する通信部と、
前記表示部において表示される画像である表示画像を移動させる操作情報を入力するための操作部と、
前記操作部においてなされた、前記表示画像を所定の方向に移動させるための操作である移動用操作に基づいて、当該表示画像が当該所定の方向に移動する速度を算出する移動速度算出部と、
前記移動速度算出部によって算出された速度に基づいて、前記表示用情報の前記所定の方向についての座標の閾値を決定する閾値決定部と、
前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力する出力要求情報送信部とを含むことを特徴とするデータ表示装置。
【請求項２】  前記閾値決定部は、前記所定の方向についての座標の閾値を、前記表示用情報の前記所定の方向についての端部に対して、前記速度に基づいて定められる座標だけ離れた座標と決定することを特徴とする、請求項１に記載のデータ表示装置。
【請求項３】  前記表示用情報内のキャラクタを認識するキャラクタ認識部と、
前記キャラクタの輪郭を検出する輪郭検出部とをさらに含み、
前記閾値決定部は、前記キャラクタの輪郭が前記表示用情報の前記所定の方向の終端部分に位置する場合には、前記キャラクタの輪郭が前記表示用情報の前記所定の方向の終端部分に位置しない場合よりも、前記所定の方向についての座標の閾値を前記表示用情報の前記所定の方向の終端部分よりも離れたものにすることを特徴とする、請求項１または請求項２に記載のデータ表示装置。
【請求項４】  前記移動用操作は、前記表示画像を、スクロールさせるための操作であることを特徴とする、請求項１〜請求項３のいずれかに記載のデータ表示装置。
【請求項５】  前記移動用操作は、前記表示画像を、ズームインまたはズームアウトさせるための操作であることを特徴とする、請求項１〜請求項３のいずれかに記載のデータ表示装置。
【請求項６】  情報を表示する表示部を含むサーバとネットワークを介して接続されたデータ表示システムであって、
前記サーバから、前記表示部に表示させる情報である表示用情報を受信する通信部と、
前記表示部において表示される画像である表示画像を移動させる操作情報を入力するための操作部と、
前記操作部においてなされた、前記表示画像を所定の方向に移動させるための操作である移動用操作に基づいて、当該表示画像が当該所定の方向に移動する速度を算出する移動速度算出部と、
前記移動速度算出部によって算出された速度に基づいて、前記表示用情報の前記所定の方向についての座標の閾値を決定する閾値決定部と、
前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力する出力要求情報送信部とを含むことを特徴とするデータ表示システム。
【請求項７】  サーバとネットワークを介して接続されたデータ表示装置であって、
情報を表示する表示部と、
前記サーバから前記表示部に表示させる情報である表示用情報を受信する通信部と、
情報を記憶する記憶部と、
前記通信部が受信した前記表示用情報を前記記憶部に記憶させる主制御部と、
前記記憶部に記憶された前記表示用情報の一部を前記表示部に表示させる表示制御部とを含み、
前記主制御部は、前記記憶部に記憶させた前記表示用情報の中から、前記表示部に表示している情報から最も離れた座標を持つ情報を削除することを特徴とするデータ表示装置。
【請求項８】  前記主制御部は、前記通信部が前記サーバから前記表示用情報をさらに受信した場合に前記情報の削除を行なうことを特徴とする、請求項７に記載のデータ表示装置。
【請求項９】  所定の表示部にデータを表示させるためのデータ表示プログラムを記録した記録媒体であって、コンピュータに、
ネットワークを介して接続されたサーバから、前記表示部に表示させる情報である表示用情報を受信するステップと、
前記表示部における前記表示画像を所定の方向に移動させるための操作である移動用操作を受付けるステップと、
当該表示画像が当該所定の方向に移動する速度を算出するステップと、
前記算出された速度に基づいて、前記表示用情報の前記所定の方向についての座標の閾値を決定するステップと、
前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力するステップとを実行させることを特徴とするデータ表示プログラムを記録した記録媒体。
【手続補正２】
【補正対象書類名】明細書
【補正対象項目名】００１４
【補正方法】変更
【補正の内容】
【００１４】
【課題を解決するための手段】
本発明のある局面に従ったデータ表示装置は、情報を表示する表示部を含み、サーバとネットワークを介して接続されたデータ表示装置であって、前記サーバから、前記表示部に表示させる情報である表示用情報を受信する通信部と、前記表示部において表示される画像である表示画像を移動させる操作情報を入力するための操作部と、前記操作部においてなされた、前記表示画像を所定の方向に移動させるための操作である移動用操作に基づいて、当該表示画像が当該所定の方向に移動する速度を算出する移動速度算出部と、前記移動速度算出部によって算出された速度に基づいて、前記表示用情報の前記所定の方向についての座標の閾値を決定する閾値決定部と、前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力する出力要求情報送信部とを含むことを特徴とする。
【手続補正３】
【補正対象書類名】明細書
【補正対象項目名】００１５
【補正方法】変更
【補正の内容】
【００１５】
また、本発明に従ったデータ表示装置では、前記閾値決定部は、前記所定の方向についての座標の閾値を、前記表示用情報の前記所定の方向についての端部に対して、前記速度に基づいて定められる座標だけ離れた座標と決定することが好ましい。
【手続補正４】
【補正対象書類名】明細書
【補正対象項目名】００１６
【補正方法】変更
【補正の内容】
【００１６】
また、本発明に従ったデータ表示装置では、前記表示用情報内のキャラクタを認識するキャラクタ認識部と、前記キャラクタの輪郭を検出する輪郭検出部とをさらに含み、前記閾値決定部は、前記キャラクタの輪郭が前記表示用情報の前記所定の方向の終端部分に位置する場合には、前記キャラクタの輪郭が前記表示用情報の前記所定の方向の終端部分に位置しない場合よりも、前記所定の方向についての座標の閾値を前記表示用情報の前記所定の方向の終端部分よりも離れたものにすることが好ましい。
【手続補正５】
【補正対象書類名】明細書
【補正対象項目名】００１７
【補正方法】変更
【補正の内容】
【００１７】
また、本発明に従ったデータ表示装置では、前記移動用操作は、前記表示画像を、スクロールさせるための操作であることが好ましい。
また、本発明に従ったデータ表示装置では、前記移動用操作は、前記表示画像を、ズームインまたはズームアウトさせるための操作であることが好ましい。
【手続補正６】
【補正対象書類名】明細書
【補正対象項目名】００１８
【補正方法】変更
【補正の内容】
【００１８】
本発明に従ったデータ表示システムは、情報を表示する表示部を含むサーバとネットワークを介して接続されたデータ表示システムであって、前記サーバから、前記表示部に表示させる情報である表示用情報を受信する通信部と、前記表示部において表示される画像である表示画像を移動させる操作情報を入力するための操作部と、前記操作部においてなされた、前記表示画像を所定の方向に移動させるための操作である移動用操作に基づいて、当該表示画像が当該所定の方向に移動する速度を算出する移動速度算出部と、前記移動速度算出部によって算出された速度に基づいて、前記表示用情報の前記所定の方向についての座標の閾値を決定する閾値決定部と、前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力する出力要求情報送信部とを含むことを特徴とする。
【手続補正７】
【補正対象書類名】明細書
【補正対象項目名】００１９
【補正方法】変更
【補正の内容】
【００１９】
本発明の他の局面に従ったデータ表示装置は、サーバとネットワークを介して接続されたデータ表示装置であって、情報を表示する表示部と、前記サーバから前記表示部に表示させる情報である表示用情報を受信する通信部と、情報を記憶する記憶部と、前記通信部が受信した前記表示用情報を前記記憶部に記憶させる主制御部と、前記記憶部に記憶された前記表示用情報の一部を前記表示部に表示させる表示制御部とを含み、前記主制御部は、前記記憶部に記憶させた前記表示用情報の中から、前記表示部に表示している情報から最も離れた座標を持つ情報を削除することを特徴とする。
また、本発明に従ったデータ表示装置では、前記主制御部は、前記通信部が前記サーバから前記表示用情報をさらに受信した場合に前記情報の削除を行なうことが好ましい。
【手続補正８】
【補正対象書類名】明細書
【補正対象項目名】００２０
【補正方法】変更
【補正の内容】
【００２０】
本発明に従った記録媒体は、所定の表示部にデータを表示させるためのデータ表示プログラムを記録した記録媒体である。そして、当該記録媒体に記録されたプログラムは、コンピュータに、ネットワークを介して接続されたサーバから、前記表示部に表示させる情報である表示用情報を受信するステップと、前記表示部における前記表示画像を所定の方向に移動させるための操作である移動用操作を受付けるステップと、当該表示画像が当該所定の方向に移動する速度を算出するステップと、前記算出された速度に基づいて、前記表示用情報の前記所定の方向についての座標の閾値を決定するステップと、前記移動用操作に応じて前記表示画像が移動されることにより前記表示部に前記表示用情報内の前記閾値の座標の部分が表示されたことに応じて、前記サーバに、前記表示用情報に対応する画像に対して前記所定の方向について隣接した画像の情報の送信を要求する情報である送信要求情報を出力するステップとを実行させることを特徴とする。
【手続補正９】
【補正対象書類名】明細書
【補正対象項目名】０１３０
【補正方法】変更
【補正の内容】
【０１３０】
これにより、データ表示装置において、受信する情報量を最小限としつつも、キャラクタを一塊で表示させる等、必要な場合には、必要な量の情報を受信させることができる。
また、データ表示装置において、記憶された情報が適宜削除されるため、データ表示装置のメモリを効率よく使うことができる。